(57)【要約】【課題】微細気泡水を水中に数多く存在させつつ、より効率的に液体の溶解度を高めることができる微細気泡水生成装置および微細気泡水生成方法を提供する。【解決手段】微細気泡水生成装置１０は、原水に気体を微細化した微細気泡を混合する気液混合器２０と、磁気高圧処理器４０とを備えている。磁気高圧処理器４０は、気液混合器２０からの微細気泡水を取り込む導水管４１と、導水管４１に嵌め込まれた高圧スリーブ４３と、高圧スリーブ４３を挟んで異極同士を対向させた一対の磁石４２ａ，４２ｂと、一対の磁石４２ａ，４２ｂの間の高圧スリーブ４３に配置され、微細気泡水が接触するトルマリン４４とを備えている。磁気高圧処理器４０の一対の磁石４２ａ，４２ｂにより高圧スリーブ４３内に磁場が発生し、微細気泡水に磁力が付与されると共に、トルマリン４４に磁力が付与され、トルマリン４４により静電気が発生して、微細気泡水に電荷が付与される。【選択図】図１
2017087127.tif 000002
【特許請求の範囲】
【請求項１】
原水に気体を微細化した微細気泡を混合して微細気泡水として送水する気液混合器と、
前記気液混合器からの微細気泡水が流入する磁気処理器とを備え、
前記磁気処理器は、前記微細気泡水を挟んで異極同士を対向させた一対の磁石と、前記一対の磁石の間に配置され、前記微細気泡水が接触する誘電体とを備えた微細気泡水生成装置。
【請求項２】
前記気液混合器からの微細気泡水を前記磁気処理器に圧送する送水ポンプが設けられた請求項１記載の微細気泡水生成装置。
【請求項３】
前記磁気処理器からの微細気泡水に液体を混合させる液液混合器が設けられた請求項１または２記載の微細気泡水生成装置。
【請求項４】
前記気液混合器は、前記気体を微細化しながら前記原水に混合する複数の混合器が直列に接続され、
前記複数の混合器には、前記気体を送気する配管が接続された請求項１から３のいずれかの項に記載の微細気泡水生成装置。
【請求項５】
前記複数の混合器のうち、少なくとも一台の混合器は、前記気体とは異なる他の気体を一緒に混合する請求項４記載の微細気泡水生成装置。
【請求項６】
気液混合器にて原水に気体を微細化して微細気泡を混合して微細気泡水とする工程と、
前記気液混合器からの微細気泡水を挟んで異極同士を対向させた一対の磁石と、前記一対の磁石の間に配置され、前記微細気泡水が接触する誘電体とを備えた磁気処理器に、前記気液混合器からの微細気泡水を流入させる工程とを含む微細気泡水生成方法。
【発明の詳細な説明】
【技術分野】
【０００１】
本発明は、マイクロバブルやナノバブルと称される微細気泡を含有する液体を生成する微細気泡水生成装置および微細気泡水生成方法に関するものである。
【背景技術】
【０００２】
気泡が微細なマイクロバブルやナノバブル（以下、マイクロナノバブルと称する）は、ファインバブルとも称され、様々な分野で活用されている。例えば、本出願人によって、特許文献１にて、微細気泡水を、洗面台用の洗浄水や、浴槽用の風呂水、口腔内用の洗浄水、産業用の洗浄水などとして生成する電解水マイクロナノバブル生成装置を提案している。
【０００３】
特許文献１に記載の電解水マイクロナノバブル生成装置では、水道水から酸性水およびアルカリ性水を生成し、水素ガスを酸性水に、炭酸ガスをアルカリ性水に、マイクロナノバブルにして混合し、これらを混合して、洗面台の洗面ボールに洗浄水として吐出するというものである。この洗面台では、磁気処理器が配置されている。
【０００４】
この磁気処理器は、Ｎ極磁石とＳ極磁石とを対向させて配置したもので、水道水から酸性水およびアルカリ性水を生成する電解水生成装置と、水素ガスと炭酸ガスとを微細化して酸性水とアルカリ性水とにそれぞれ混合する微細気泡混合器との間の配管に設けられている。このように、磁気処理器を配置することで、電解水生成装置が電解した酸性水と、アルカリ性水とに、磁力を付与するので、酸性水やアルカリ性水が磁化処理され、水のクラスタが微細化され、水分子が整列されるため、マイクロナノバブルとして混合される水素ガスや炭酸ガスを、水中に数多く存在させることができる。
【先行技術文献】
【特許文献】
【０００５】
【特許文献１】特開２０１５−９８０１４号公報
【発明の概要】
【発明が解決しようとする課題】
【０００６】
特許文献１では、水道水を予め磁化して水道水を調整した後に微細化した気体を混合させているため、微細気泡とした気体を水中に数多く存在させることができるが、より効率的に液体の溶解度を高めることができれば、微細気泡水の効果も向上させることができる。
【０００７】
そこで本発明は、微細気泡水を水中に数多く存在させつつ、より効率的に液体の溶解度を高めることができる微細気泡水生成装置および微細気泡水生成方法を提供することを目的とする。
【課題を解決するための手段】
【０００８】
本発明の微細気泡水生成装置は、原水に気体を微細化した微細気泡を混合して微細気泡水として送水する気液混合器と、前記気液混合器からの微細気泡水が流入する磁気処理器とを備え、前記磁気処理器は、前記微細気泡水を挟んで異極同士を対向させた一対の磁石と、前記一対の磁石の間に配置され、前記微細気泡水が接触する誘電体とを備えたことを特徴とする
【０００９】
本発明の微細気泡水生成方法は、気液混合器にて原水に気体を微細化して微細気泡を混合して微細気泡水とする工程と、前記気液混合器からの微細気泡水を挟んで異極同士を対向させた一対の磁石と、前記一対の磁石の間に配置され、前記微細気泡水が接触する誘電体とを備えた磁気処理器に、前記気液混合器からの微細気泡水を流入させる工程とを含むことを特徴とする。
【００１０】
本発明によれば、磁気処理器において微細気泡水が異極同士が対向した磁石による磁場により、微細気泡水の水分子に結合の変化を生じさせる。従って、微細気泡水の表面張力を減少させることができるので、微細気泡水の溶解度を向上させることができる。従って、第１の気体や第２の気体を、微細気泡水の液体に溶解させることができ、高濃度化を図ることができる。また、磁気処理器が磁石による磁場に位置しているため、磁石による磁場内での磁気処理器によって、更に、溶解度を高めることができる。また、磁石による磁場内では、磁気処理器が静電気を発生するため、微細気泡水に浮遊する微細気泡に電荷を付与することができる。電荷が付与された微細気泡は、微細気泡同士が反発し合い結合しないため、微細気泡同士が結合して気泡径が大きくなることを抑止することができる。
【００１１】
前記気液混合器からの微細気泡水を前記磁気処理器に圧送する送水ポンプが設けられていることが望ましい。送水ポンプにより圧送されることで高速に流れる微細気泡水が、磁気処理器に圧力を付与しながら通過する。高圧の微細気泡水により圧力を掛けられた磁気処理器は更なる静電気が生じる。そうすることで、微細気泡に電荷が付与されるので、微細気泡に効率よく電荷を付与することができる。
【００１２】
前記磁気処理器からの微細気泡水に液体を混合させる液液混合器が設けられていることが望ましい。磁気処理器により電荷が付与された微細気泡の周囲に、液体が引き寄せられ、微細気泡を取り囲むように集まるため、微細気泡を中空カプセル構造として構成することができる。
【００１３】
前記気液混合器は、前記気体を微細化しながら前記原水に混合する複数の混合器が直列に接続され、前記複数の混合器には、前記気体を送気する配管が接続されていることが望ましい。原水に気体を一度に混合すると、原水が気体を溶解し難くなるため、複数の混合器が直列に接続されて順番に気体の量を分けて混合することで、多くの量の気体を液体に溶解させたり、液体中に微細気泡として浮遊させたりすることができるため、気体の溶解量や微細気泡の数量を増加させることができる。
【００１４】
前記複数の混合器のうち、少なくとも一台の混合器は、前記気体とは異なる他の気体を一緒に混合すること望ましい。このように構成することで、気体と他の気体とを微細気泡として混合した微細気泡水を生成させることができる。
【発明の効果】
【００１５】
本発明の微細気泡水生成装置によれば、微細気泡水への磁石による磁場と、トルマリンにより静電気での相互の影響により、微細気泡水の溶解度を向上させると共に、微細気泡を帯電させることができるため、微細気泡水を水中に数多く存在させつつ、より効率的に液体の溶解度を高めることができるので、微細気泡水の効果を発揮させることができる。
【図面の簡単な説明】
【００１６】
【図１】本発明の実施の形態に係る微細気泡水生成装置を示す図である。
【図２】図１に示す微細気泡水生成装置の磁気高圧処理器および高圧スリーブとの断面図である。
【図３】図２に示す磁気高圧処理器の流量調整金具の図であり、（Ａ）は微細気泡水が流れる方向に沿った断面図、（Ｂ）は下流側から見た図である。
【発明を実施するための形態】
【００１７】
本発明の実施の形態に係る微細気泡水生成装置を図面に基づいて説明する。
図１に示すように、微細気泡水生成装置１０は、第１の気体と第２の気体とを微細化して、原水とした水に混合するものである。
第１の気体は、水素ガス、空気とすることができる。また、第２の気体は、酸素ガス、炭酸ガス、空気とすることができる。
【００１８】
第１の気体と第２の気体との組み合わせは、第１の気体を水素ガスとしたときには第２の気体を酸素ガスとすることができる。また、第２の気体を炭酸ガスとして、第１の気体の水素ガスと組み合わせることができる。更に、第１のガスのみとしたり、第１の気体の水素ガスまたは空気に、第２のガスの酸素ガス、炭酸ガスまたは空気のいずれかを組み合わせることもできる。
【００１９】
微細気泡水生成装置１０では、この第１の気体が貯留されたボンベＢ１と、第２の気体が貯留されたボンベＢ２により気体が供給される。
ボンベＢ１は、調整弁Ｖ１を介して気液混合器２０に接続されている。また、ボンベＢ２は、調整弁Ｖ２を介して気液混合器２０に接続されている。
【００２０】
気液混合器２０は、複数の混合器として、第１ミキサー２１と、ターボミキサー２２と、第２ミキサー２３とを備え、これらが配管Ｐ１１，Ｐ１２により直列に接続されている。第１ミキサー２１には、原水である水が貯留される気密性を有する密封タンクＴが配管Ｐ１３により接続されている。
【００２１】
第１ミキサー２１と、ターボミキサー２２と、第２ミキサー２３とには、第１の気体を混合するための配管Ｐ２１であり、ボンベＢ１に接続された調整弁Ｖ１に繋がる配管Ｐ２１が、流量調整器２４ａ〜２４ｃを介して接続されている。また、第２ミキサー２３には、第２の気体を混合するための配管Ｐ２２であり、ボンベＢ２に接続された調整弁Ｖ２に繋がる配管Ｐ２２が、流量調整器２４ｄを介して接続されている。
第２ミキサー２３の下流側には、配管Ｐ３１により高圧ポンプ３０に接続されている。
【００２２】
高圧ポンプ３０は、気液混合器２０からの微細気泡水を圧送する送水ポンプである。高圧ポンプ３０は、微細気泡水に、例えば、１．５ＭＰａ〜９ＭＰａの圧力を付与するものが使用できる。高圧ポンプ３０の下流側には、配管Ｐ３２により磁気高圧処理器４０に接続されている。
【００２３】
図２に示すように、磁気高圧処理器４０（磁気処理器）は、高圧ポンプ３０から微細気泡水が流れ込む導水管４１（図１では図示せず）と、導水管４１からの微細気泡水が通過する配管となる高圧スリーブ４３と、高圧スリーブ４３を挟んで異極同士を対向させた一対の磁石４２ａ，４２ｂと、一対の磁石４２ａ，４２ｂの間に配置された高圧スリーブ４３に設けられた誘電体の一例であるトルマリン４４（図１では図示せず）とを備えている。
【００２４】
図２および図３に示すように、導水管４１の下流側には、流量調整金具４１１が装着されている。流量調整金具４１１は、導水管４１の先端に嵌め込まれる円筒部４１１ａと、円筒部４１１ａの下流側の端部に設けられた蓋部４１１ｂとを備えている。蓋部４１１ｂには、管路の軸線を中心にして放射状に小径の貫通孔４１１ｃが形成されている。
磁石４２ａは、Ｎ極を高圧スリーブ４３側に向けて配置された永久磁石である。高圧スリーブ４３を挟んで磁石４２ａと反対側に位置する磁石４２ｂは、Ｓ極を高圧スリーブ４３側に向けて配置された永久磁石である。磁石４２ａ，４２ｂは、フェライト磁石、サマリウムコバルト磁石、ネオジム磁石が使用できる。磁石４２ａ，４２ｂは、電磁石でもよい。磁石４２ａ，４２ｂは、電磁石としたときには、磁気が一定方向を向くように電流を流してもよいし、磁気が交互に入れ替わるようにして電流を流してもよい。
【００２５】
高圧スリーブ４３は、磁気透過な材質のもので形成されている。例えば、高圧スリーブ４３は、樹脂製とすることができる。
トルマリン４４は、電気石とも称される鉱物である。トルマリン４４は、球体状に形成され、高圧スリーブ４３と、高圧スリーブ４３の上流側に位置する導水管４１の流量調整金具４１１および後述するダンパーの流量調整金具とに囲まれた空間に、互いが接触した状態で収納されている。
【００２６】
導水管４１には、流量調整金具４１１を被せるように、高圧スリーブ４３が接続されている。高圧スリーブ４３の下流側の端部４３ａには、下流方向に向かって拡径するダンパー５０の上流側の端部５１が嵌め込まれるようにして接続されている。
高圧スリーブ４３の下流側の端部４３ａとダンパー５０の上流側の端部５１との間の流路には、流量調整金具５２がダンパー５０の上流側の端部５１に被さるように配置されている。
【００２７】
流量調整金具５２は、流量調整金具４１１と同様に、円筒部５２ａと、管路の軸線を中心にして放射状に小径の貫通孔５２ｃが形成された蓋部５２ｂとを備えている。
ダンパー５０の下流側には、配管Ｐ３３により、液液混合器６０に接続されている。
【００２８】
液液混合器６０は、配管Ｐ３３に接続する第３ミキサー６１と、微細気泡水に混合する液体が貯留される供給部６２と、供給部６２と第３ミキサー６１との間に設けられた流量調整器６３とを備えている。
【００２９】
第３ミキサー６１の下流側には、微細気泡水を減圧するためのベンチュリ部７０が、配管Ｐ３４により接続されている。ベンチュリ部７０の下流側には、撹拌器８０が接続されている。撹拌器８０の下流側には、配管Ｐ３５により密封タンクＴが接続されている。
配管Ｐ３５は、密封タンクＴの液相部に至るまで深く延びている。また、密封タンクＴから第１ミキサー２１に接続された配管Ｐ１３も、密封タンクＴの液相部に至るまで深く延びている。更に、調整弁Ｖ１のボンベＢ１側に接続する配管Ｐ４１が、調整弁Ｖ３を介して、密封タンクＴの気相部までの深さに延びている。
【００３０】
以上のように構成された本発明の実施の形態に係る微細気泡水生成装置１０の動作および使用状態を図面に基づいて説明する。
ボンベＢ１に貯留された第１の気体は、ボンベＢ１が開栓され、調整弁Ｖ１が開くことで、配管Ｐ２１を通じて送気される。
第１の気体は、気液混合器２０内の複数の混合器（第１ミキサー２１、ターボミキサー２２および第２ミキサー２３）に、流量調整器２４ａ〜２４ｃのそれぞれにより調整された流量の第１の気体が流入する。
第１ミキサー２１には、密封タンクＴに接続された配管Ｐ１３により、密封タンクＴに貯留された原水となる水が吸い上げられて流入する。
【００３１】
第１ミキサー２１により、水に第１の気体が混合されて大きな泡状の第１の気体を混合した気泡水が、配管Ｐ１１を通じてターボミキサー２２に流入する。
ターボミキサー２２では、内部で撹拌用のブレードが回転することで発生した負圧により、第１ミキサー２１からの気泡水と、流量調整器２４ｂにより流量が調整された第１の気体とを吸引し、ブレードにより撹拌して、第１の気体を微細化すると共に、第１の気体を気泡水に溶解させる。これにより、気泡水は、第１の気体による気泡が微細化すると共に、第１の気体が気泡水に溶解して第１の気体の濃度が上がった微細気泡水となる。この微細気泡水が配管Ｐ１２を通じて第２ミキサー２３へ流入する。
第２ミキサー２３では、ターボミキサー２２からの微細気泡水に、流量調整器２４ｃにより流量が調整された第１の気体が、更に混合される。第２ミキサー２３により、ターボミキサー２２により微細化された気泡が、更に微細化すると共に、第１の気体の濃度を更に上昇させることができる。
【００３２】
このように、配管Ｐ１１および配管Ｐ１２により直列に接続された複数の混合器（第１ミキサー２１、ターボミキサー２２および第２ミキサー２３）に、第１の気体を送気する配管Ｐ２１が接続されているため、気体の量を分けて、液体に溶解させたり、液体中に微細気泡として浮遊させたりすることができる。従って、気体の溶解量や微細気泡の数量を増加させることができる。
また、配管Ｐ２１には、流量調整器２４ａ〜２４ｃが設けられているため、第１ミキサー２１、ターボミキサー２２および第２ミキサー２３のそれぞれにて混合させる第１の気体の流量を微調整することができる。
【００３３】
ここで、微細気泡水に第２の気体を混合させる場合には、調整弁Ｖ２を開けて、ボンベＢ２から配管Ｐ２２を通じ、流量調整器２４ｄにより流量が調整された第２の気体を第２ミキサー２３へ流入させる。
第２ミキサー２３に流入した第２の気体は、第２ミキサー２３により、ターボミキサー２２からの微細気泡水に混合される。これにより、第１の気体による微細気泡と、第２の気体による微細気泡とが混在する微細気泡水とすることができる。
【００３４】
第２ミキサー２３からの微細気泡水は、配管Ｐ３３を通じて高圧ポンプ３０に流入する。高圧ポンプ３０では、微細気泡水に圧力が付与される。高圧ポンプ３０により押し出され、流速が早くなった微細気泡水は、磁気高圧処理器４０に流入する。
【００３５】
磁気高圧処理器４０では、まず、高圧ポンプ３０により圧送された微細気泡水が、導水管４１の流量調整金具４１１を通過する。その際に、微細気泡水が、流量調整金具４１１の小径の貫通孔４１１ｃを通過することで、更に、流速が高速となる。
高圧スリーブ４３では、異極同士が対向した磁石４２ａ，４２ｂによる磁場により、微細気泡水の水分子に結合の変化を生じさせることができ、表面張力を減少させることができる。従って、微細気泡水の溶解度を向上させることができるため第１の気体や第２の気体を、微細気泡水の液体に溶解させることができ、高濃度化を図ることができる。
【００３６】
また、高圧スリーブ４３に収納されたトルマリン４４は、磁石４２ａ，４２ｂによる磁場に位置しているため、磁石４２ａ，４２ｂによる磁場内でのトルマリン４４によって、更に、溶解度を高めることができる。また、磁石４２ａ，４２ｂによる磁場内では、トルマリン４４が静電気を発生するため、微細気泡水に浮遊する微細気泡に電荷を付与することができる。電荷が付与された微細気泡は、微細気泡同士が反発し合い結合しないため、微細気泡同士が結合して気泡径が大きくなることを抑止することができる。
従って、微細気泡水生成装置１０は、微細気泡水を水中に数多く存在させつつ、より効率的に微細気泡水の液体の溶解度を高めることができる。よって、微細気泡水の効果を発揮させることができる。
【００３７】
高圧ポンプ３０により圧送されることで高速に流れる微細気泡水が、高圧スリーブ４３に収納されたトルマリン４４に圧力を付与しながら通過する。トルマリン４４に圧力が付与されることで、更なる静電気が生じるため、微細気泡に効率よく電荷を付与することができる。従って、より多くの微細気泡を水中に浮遊させることができる。
【００３８】
液液混合器６０では、第３ミキサー６１により、ダンパー５０からの流速が緩やかになった微細気泡水に、供給部６２からの流量調整器６３により流量が調整された液体が混合される。例えば、本実施の形態に係る微細気泡水生成装置１０が、患者の治療に使用される輸液を生成するものであれば、供給部６２には、治療に適した薬液や、ミネラルなどの栄養素を主成分とした栄養液が、投入液として貯留されている。
【００３９】
トルマリン４４により電荷が付与された微細気泡はマイナス電位となるため、供給部６２から供給され、第３ミキサー６１により混合された投入液がプラス電位となることで、投入液が、微細気泡の周囲に引き寄せられ、微細気泡を取り囲むように集まるため、微細気泡を中空カプセル構造として構成することができる。
従って、磁気高圧処理器４０からの微細気泡水に、液液混合器６０により、薬液や栄養液などの液体を混合させることで、薬液や栄養液を、中空カプセル構造となった微細気泡により搬送することができる。
【００４０】
液液混合器６０からの投入液が混合された微細気泡水は、ベンチュリ部７０を通過することで、一時的に、減圧される。この減圧により、磁気高圧処理器４０により、第１の気体と第２の気体とが溶解して高濃度化した微細気泡水から、第１の気体と第２の気体とが溶出する。そこで、撹拌器８０にて、微細気泡水に溶出した第１の気体と第２の気体との気泡を撹拌して気泡を微細化することで、更に、大量の微細気泡を微細気泡水に浮遊させた状態とすることができる。
【００４１】
撹拌器８０からの微細気泡水は、密封タンクＴへ配管Ｐ３５を通じて流入され、密封タンクＴにて貯留される。
密封タンクＴに貯留された微細気泡水は、液相部Ｔ１までの深さに延びる配管Ｐ１３を通じて、再び、第１ミキサー２１に流入することで、気液混合器２０から、高圧ポンプ３０、磁気高圧処理器４０、ダンパー５０、液液混合器６０、ベンチュリ部７０および撹拌器８０を通り、密封タンクＴへ戻ることで循環する。
【００４２】
密封タンクＴに貯留された微細気泡水から気化した第１の気体または第２の気体は、気相部Ｔ２に延びる配管Ｐ４１と、調整弁Ｖ３および調整弁Ｖ１と、配管Ｐ２１とを介して、ボンベＢ１からの第１の気体と共に、気液混合器２０により、密封タンクＴからの微細気泡水に混合される。
【００４３】
密封タンクＴに貯留された微細気泡水を輸液として使用するときには、第１の気体または第２の気体を水素ガスとすると、血管の内壁に付着した脂質やコルステロールなどの付着物を分解して血管から引き剥がし除去することができる。
また、第２の気体を炭酸ガスとするときには、血液中に溶解した老廃物を吸着して排出することができ、血行を促進するため、血行状態を良好なものとすることができる。更に、炭酸ガスを含有する微細気泡水は、消化機能を活性化させることができる。
また、第１の気体または第２の気体を酸素ガスとし、栄養液を添加すれば、血液中の酵素に対する栄養素が添加されるため酵素を活性化させることができる。
【００４４】
また、密封タンクＴに貯留された微細気泡水を洗浄液として使用するときには、第１の気体または第２の気体を水素ガスとすると、水素ガスによる微細気泡は、マイナス電位により、水中に分散していたり、被洗浄物に付着したりするウィルスや細菌に吸着して、死滅させたり、不活性化したりすることができる。
第２の気体を炭酸ガスとするときには、汚れを浮かせる効果を更に増加させることができる。
【００４５】
本実施の形態に係る微細気泡水生成装置１０では、高圧スリーブ４３内に誘電体の一例としてトルマリンを収納していたが、磁場により水の溶解度を向上させ、圧力により静電気を発生するものであれば他の誘電体でもトルマリンの代わりに使用できる。例えば、セラミック，水晶などとしてもよい。
【産業上の利用可能性】
【００４６】
本発明は、微細気泡水を水中に数多く存在させつつ、より効率的に液体の溶解度を高めることができるため、人体や機器を洗浄する洗浄水や、治療するための輸液に使用したり、植物に散水したりする微細気泡水を生成する際に好適である。
【符号の説明】
【００４７】
１０  微細気泡水生成装置
２０  気液混合器
２１  第１ミキサー
２２  ターボミキサー
２３  第２ミキサー
２４ａ，２４ｂ，２４ｃ，２４ｄ  流量調整器
３０  高圧ポンプ
４０  磁気高圧処理器
４１  導水管
４１１  流量調整金具
４１１ａ  円筒部
４１１ｂ  蓋部
４１１ｃ  貫通孔
４２ａ，４２ｂ  磁石
４３  高圧スリーブ
４３ａ  下流側の端部
４４  トルマリン
５０  ダンパー
５１  上流側の端部
５２  流量調整金具
５２ａ  円筒部
５２ｂ  蓋部
５２ｃ  貫通孔
６０  液液混合器
６１  第３ミキサー
６２  供給部
６３  流量調整器
７０  ベンチュリ部
８０  撹拌器
Ｔ  密封タンク
Ｂ１，Ｂ２  ボンベ
Ｔ１  液相部
Ｔ２  気相部
Ｖ１，Ｖ２，Ｖ３  調整弁
Ｐ１１，Ｐ１２，Ｐ１３，Ｐ２１，Ｐ２２，Ｐ３１，Ｐ３２，Ｐ３３，Ｐ３４，Ｐ３５，Ｐ４１  配管
【図１】
2017087127.tif 000003
【図２】
2017087127.tif 000004
【図３】
2017087127.tif 000005